(57)【要約】【課題】記録スロットとして設定されたにもかかわらず画像データの記録が行えなかったスロットに関して、当該スロットが記録可能となったときに未記録の画像データを自動的に記録可能とする。【解決手段】記憶メディアを装着するための複数のスロットを備えた撮像装置において、画像データを記録するための記録スロットとして設定された複数のスロットの各々について、記憶メディアへの記録の可否が検知される。撮影により得られた画像データを、記録スロットに設定されたスロットにより記憶メディアへ記録する際に、記憶メディアへの記録が不可であると検知されたスロットが存在する場合、当該画像データの記録未完了情報がメモリに保持される。記録スロットとして設定され、記録が不可であると検知されたスロットが記録可能な状態へ変化した場合、記録未完了情報に基づいて画像データを当該スロットの記憶メディアへ書き込む。【選択図】  図３
2005223761.tif 000002
【特許請求の範囲】
【請求項１】
記憶メディアを装着するための複数のスロットを備えた撮像装置であって、
複数のスロットより選択された複数のスロットを画像データを記録するための記録スロットとして設定する設定手段と、
前記記録スロットに設定された複数のスロットの各々について、記憶メディアへの記録の可否を検知する検知手段と、
撮影により得られた画像データを、前記記録スロットに設定されたスロットにより記憶メディアへ記録する記録手段と、
前記記録手段による記録に際して、前記検知手段により記憶メディアへの記録が不可であると検知されたスロットが存在する場合、当該画像データの記録未完了情報をメモリに保持する保持手段と、
前記検知手段により記録が不可であると検知されたスロットが記録可能な状態へ変化した場合、前記記録未完了情報に基づいて画像データを当該スロットの記憶メディアへ書き込む複写手段とを備えることを特徴とする撮像装置。
【請求項２】
前記保持手段は、前記検知手段により記憶メディアへの記録が不可であると検知されたスロット毎に当該画像データの記録未完了情報をメモリに保持し、
前記複写手段は、前記前記検知手段により記録が不可であると検知されたスロットが記録可能な状態へ変化した場合、当該スロットに対応して登録された前記記録未完了情報に対応する画像データを他のスロットより取得し、当該記録可能な状態に変化したスロットの記憶メディアに書き込むことを特徴とする請求項１に記載の撮像装置。
【請求項３】
前記保持手段は、前記記録未完了情報を登録する際に、当該画像データが記録されたスロットを示す情報を含めて登録することを特徴とする請求項２に記載の撮像装置。
【請求項４】
記憶メディアを装着するための複数のスロットを備えた撮像装置であって、
バックアップモードへの設定指示により、複数のスロットを画像データを記録するための記録スロットとして設定する設定手段と、
前記記録スロットに設定された複数のスロットの各々について、記憶メディアへの記録の可否を検知する検知手段と、
前記検知手段による検知結果に基づいて、バックアップ動作を実行可能か否かを判定する判定手段と、
バックアップモードにて撮影が行われた場合、前記設定手段で記録スロットに設定されたスロットに画像データを記録する記録手段と、
前記記録手段による記録に際して、前記判定手段によりバックアップ動作が不可と判定された場合、当該画像データがバックアップ未完了であることを示す情報を保持する保持手段と、
前記判定手段の判定結果に基づいてバックアップ動作が可能な状態となった場合、前記保持手段に保持された情報に基づいてバックアップ未完了の画像データのバックアップを完了させる制御手段とを備えることを特徴とする撮像装置。
【請求項５】
前記バックアップモードでは、複数のスロットの各々をメインスロットとバックアップスロットに割り当て、
前記判定手段は、メインスロット及びバックアップスロットの各々に記録可能な状態のスロットが少なくとも１つずつ存在する場合にバックアップ動作可能と判定することを特徴とする請求項４に記載の撮像装置。
【請求項６】
前記バックアップモードでは、複数のスロットの各々をメインスロットとバックアップスロットに割り当て、
前記判定手段は、バックアップスロットに割り当てられたスロット毎にバックアップ動作の実行可否を判定し、
前記保持手段は、バックアップスロットに割り当てられたスロット毎にバックアップの未完了情報を保持し、
前記制御手段は、前記保持手段に保持された未完了情報に基づいてスロット単位でバックアップ未完了の画像データのバックアップを完了させることを特徴とする請求項５に記載の撮像装置。
【請求項７】
記憶メディアを装着するための複数のスロットを備えた撮像装置の制御方法であって、
複数のスロットより選択された複数のスロットを画像データを記録するための記録スロットとして設定する設定工程と、
前記記録スロットに設定された複数のスロットの各々について、記憶メディアへの記録の可否を検知する検知工程と、
撮影により得られた画像データを、前記記録スロットに設定されたスロットにより記憶メディアへ記録する記録工程と、
前記記録工程による記録に際して、前記検知工程により記憶メディアへの記録が不可であると検知されたスロットが存在する場合、当該画像データの記録未完了情報をメモリに保持する保持工程と、
前記検知工程により記録が不可であると検知されたスロットが記録可能な状態へ変化した場合、前記記録未完了情報に基づいて画像データを当該スロットの記憶メディアへ書き込む複写工程とを備えることを特徴とする撮像装置の制御方法。
【請求項８】
記憶メディアを装着するための複数のスロットを備えた撮像装置の制御方法であって、
バックアップモードへの設定指示により、複数のスロットを画像データを記録するための記録スロットとして設定する設定工程と、
前記記録スロットに設定された複数のスロットの各々について、記憶メディアへの記録の可否を検知する検知工程と、
前記検知工程による検知結果に基づいて、バックアップ動作を実行可能か否かを判定する判定工程と、
バックアップモードにて撮影が行われた場合、前記設定工程で記録スロットに設定されたスロットに画像データを記録する記録工程と、
前記記録工程による記録に際して、前記判定工程によりバックアップ動作が不可と判定された場合、当該画像データがバックアップ未完了であることを示す情報を保持する保持工程と、
前記判定工程の判定結果に基づいてバックアップ動作が可能な状態となった場合、前記保持工程に保持された情報に基づいてバックアップ未完了の画像データのバックアップを完了させる制御工程とを備えることを特徴とする撮像装置の制御方法。
【請求項９】
請求項７または８に記載の制御方法をコンピュータによって実行させるための制御プログラム。
【請求項１０】
請求項７または８に記載の制御方法をコンピュータによって実行させるための制御プログラムを格納する記憶媒体。
【発明の詳細な説明】
【技術分野】
【０００１】
本発明は、静止画像や動画像を撮像、記録、再生する撮像装置に関する。特に記憶メディアを挿入するためのスロットを複数有する撮像装置に適用可能なものである。
【背景技術】
【０００２】
静止画像や動画像を撮影し、デジタル化して記憶メディアに記録するデジタルカメラが広く普及している。このようなデジタルカメラにおいては、現在のところ、記憶メディアを装着するための挿入スロット（以下、記憶メディアスロット）を１つしか持たないものが主流である。しかしながら、撮影内容に応じて記憶メディアを切り替えたり、撮影データを記憶メディアに記録するとともに、そのバックアップデータを別の記憶メディアに格納するべく、複数の記憶メディアを扱うことを可能にしたデジタルカメラも存在する（例えば、特許文献１）。
【特許文献１】特開平７−２３１４２０号公報
【発明の開示】
【発明が解決しようとする課題】
【０００３】
複数スロットを有するデジタルカメラでは、ユーザは記録スロット（以下、撮影画像を記録すべき記憶メディアスロットを記録スロットという）を選択する必要がある。その場合、スロットに記憶メディアが未装着状態であったり、装着されていても記録不可能な状態であるということが考えられる。スロットの状態により、記録スロットに選択可能であったり不可能であったりするのは不便である。例えば、記憶メディアスロットへ記憶メディアを装着せずにデジタルカメラに電源を投入してしまい、記録スロットへの設定操作時に記憶メディアの未装着に気づくような場合がある。記憶メディアが未装着であったり、記録不可能な記憶メディアが装着されていた場合には、当該スロットを記録スロットに設定することはできない。従ってこのような場合、ユーザは、デジタルカメラの電源をＯＦＦして記憶メディアを装着し、電源を投入した後、再び記録スロットの設定をやり直す必要が生じてしまい、操作が煩わしい。また、記録スロットに設定されたスロットの状態が変化して記録不可能となった場合は、デジタルカメラがエラー状態となり、ユーザは記録スロットの設定をマニュアルでやり直す必要があった。
【０００４】
本発明は上記の課題に鑑みてなされたものであり、記録スロットとして設定されたにもかかわらず画像データの記録が行えなかったスロットに関して、当該スロットが記録可能となったときに未記録の画像データを自動的に記録可能とし、記憶メディアスロットの記録の可否状態に関わらずユーザが記録スロットとして設定可能にすることを目的とする。
【課題を解決するための手段】
【０００５】
上記の目的を達成するための本発明による撮像装置は以下の構成を備える。即ち、
記憶メディアを装着するための複数のスロットを備えた撮像装置であって、
複数のスロットより選択された複数のスロットを画像データを記録するための記録スロットとして設定する設定手段と、
前記記録スロットに設定された複数のスロットの各々について、記憶メディアへの記録の可否を検知する検知手段と、
撮影により得られた画像データを、前記記録スロットに設定されたスロットにより記憶メディアへ記録する記録手段と、
前記記録手段による記録に際して、前記検知手段により記憶メディアへの記録が不可であると検知されたスロットが存在する場合、当該画像データの記録未完了情報をメモリに保持する保持手段と、
前記検知手段により記録が不可であると検知されたスロットが記録可能な状態へ変化した場合、前記記録未完了情報に基づいて画像データを当該スロットの記憶メディアへ書き込む複写手段とを備える。
【０００６】
また、上記の目的を達成するための本発明の他の態様によれば、
記憶メディアを装着するための複数のスロットを備えた撮像装置であって、
バックアップモードへの設定指示により、複数のスロットを画像データを記録するための記録スロットとして設定する設定手段と、
前記記録スロットに設定された複数のスロットの各々について、記憶メディアへの記録の可否を検知する検知手段と、
前記検知手段による検知結果に基づいて、バックアップ動作を実行可能か否かを判定する判定手段と、
バックアップモードにて撮影が行われた場合、前記設定手段で記録スロットに設定されたスロットに画像データを記録する記録手段と、
前記記録手段による記録に際して、前記判定手段によりバックアップ動作が不可と判定された場合、当該画像データがバックアップ未完了であることを示す情報を保持する保持手段と、
前記判定手段の判定結果に基づいてバックアップ動作が可能な状態となった場合、前記保持手段に保持された情報に基づいてバックアップ未完了の画像データのバックアップを完了させる制御手段とを備える。
【発明の効果】
【０００７】
本発明によれば、記録スロットとして設定されたにもかかわらず画像データの記録が行えなかった場合に、当該記憶メディアスロットが動作条件を満足したときにその画像データを自動的に記録することが可能となる。よって、ユーザは、記憶メディアスロットの記録の可否状態に関わらず記録スロットとして設定することが可能になる。
【発明を実施するための最良の形態】
【０００８】
以下、添付の図面を参照して本発明の好適な実施形態を説明する。以下の各実施形態では、画像を撮影し、撮影した画像の画像データを少なくとも一つの記憶媒体に記録することができる装置（デジタルカメラ、デジタルビデオ、カメラ付き携帯電話等）を撮像装置と呼ぶ。
【０００９】
＜第１実施形態＞
図１は、第１実施形態による撮像装置１００の構成を示すブロック図である。なお、本実施形態の撮像装置は、撮影した画像の縮小画像を簡易的に表示することが可能となっている。
【００１０】
撮像装置１００において、撮像素子１４は光学像を電気信号に変換する素子である。シャッター１２は撮像素子１４への露光量を制御するために設けられている。Ａ／Ｄ変換器１６は撮像素子１４のアナログ信号出力をデジタル信号に変換し、画像処理部２０及びメモリ制御回路２２へこれを提供する。タイミング発生回路１８は、撮像素子１４、Ａ／Ｄ変換器１６、Ｄ／Ａ変換器２６にクロック信号や制御信号を供給するための回路であり、メモリ制御回路２２及びシステム制御回路５０により制御される。
【００１１】
画像処理回路２０はＡ／Ｄ変換器１６からのデータ或いはメモリ制御回路２２からのデータに対して所定の画素補間処理や色変換処理を行う。また、画像処理回路２０において撮像した画像データを用いて所定の演算処理を行い、得られた演算結果に基づいてシステム制御回路５０が測光ユニット４６や測距ユニット４２に対して制御を行う。これにより、ＴＴＬ（スルー・ザ・レンズ）方式のＡＦ（オートフォーカス）処理、ＡＥ（自動露出）処理、ＥＦ（フラッシュプリ発光）処理等を行うことができる。さらに、画像処理回路２０においては、撮像した画像データを用いて所定の演算処理を行い、得られた演算結果に基づいてＴＴＬ方式のＡＷＢ（オートホワイトバランス）処理も行っている。
【００１２】
なお、本実施形態においては、測距ユニット４２及び測光ユニット４６を専用に備える構成としたため、測距ユニット４２及び測光ユニット４６を用いてＡＦ（オートフォーカス）処理、ＡＥ（自動露出）処理、ＥＦ（フラッシュ調光）処理の各処理を行うものとし、画像処理回路２０を用いたＡＦ（オートフォーカス）処理、ＡＥ（自動露出）処理、ＥＦ（フラッシュ調光）処理等の各処理を行わない構成としても良い。
【００１３】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１４】
画像表示メモリ２４、Ｄ／Ａ変換器２６、ＴＦＴ、ＬＣＤ等を具備した画像表示部２８により、画像表示系が形成される。すなわち、画像表示メモリ２４に書き込まれた表示用の画像データはＤ／Ａ変換器２６によりビデオ用のアナログ信号に変換され、画像表示部２８により表示される。メモリ３０は、撮影した静止画像や動画像を格納する。メモリ３０は、所定枚数の静止画像や所定時間の動画像を格納するのに十分な記憶量を備えている。これにより、複数枚の静止画像を連続して撮影する連射撮影やパノラマ撮影の場合にも、高速かつ大量の画像をメモリ３０に対して書き込むことが可能となる。また、メモリ３０はシステム制御回路５０の作業領域としても使用することが可能である。
【００１５】
圧縮・伸長回路３２は、適応離散コサイン変換（ＡＤＣＴ）等により画像データを圧縮伸長するための回路であり、メモリ３０に格納された画像を読み込んで圧縮処理或いは伸長処理を行い、処理を終えたデータをメモリ３０に書き込む。
【００１６】
シャッター制御ユニット４０は測光ユニット４６からの測光情報に基づいて、絞り３１２を制御する絞り制御ユニット３４０と連携しながら、シャッター１２を制御する。なお、シャッター制御ユニット４０はフラッシュ４８と連携することによりフラッシュ調光機能も有する。
【００１７】
測距ユニット４２はＡＦ（オートフォーカス）処理を行うための測距を実行する。レンズ３１０に入射した光線を、一眼レフ方式によって、絞り３１２、レンズマウント３０６及び１０６、ミラー１３０そして不図示の測距用サブミラーを介して、測距ユニット４２に入射させることにより、光学像として結像された画像の合焦状態を測定することができるように構成されている。測光ユニット４６は、ＡＥ（自動露出）処理を実行する。レンズ３１０に入射した光線を、一眼レフ方式によって、絞り３１２、レンズマウント３０６及び１０６、ミラー１３０及び１３２そして不図示の測光用レンズを介して、測光ユニット４６に入射させることにより、光学像として結像された画像の露出状態を測定することができるようにしている。
【００１８】
フラッシュ４８は、ＡＦ補助光の投光機能やフラッシュ調光機能を有する。なお、測距ユニット４２による測定結果と、撮像素子１４によって撮像した画像データを画像処理回路２０によって演算した演算結果とを共に用いてＡＦ（オートフォーカス）制御を行っても構わないこと、同様に、測光ユニット４６による測定結果と、撮像素子１４によって撮像した画像データを画像処理回路２０によって演算した演算結果とを共に用いて露出制御を行っても構わないことは当業者には明らかであろう。
【００１９】
システム制御回路５０は、撮像装置１００の全体の制御をつかさどる。メモリ５２はシステム制御回路５０の動作用の定数、変数、プログラム等を記憶するメモリである。表示器５４は液晶表示装置やスピーカー等を含み、システム制御回路５０による制御の下で、文字、画像、音声等を用いて動作状態やメッセージ等を出力する。表示器５４は撮像装置１００の操作部近辺の視認し易い位置に一箇所或いは複数個所設置され、例えばＬＣＤやＬＥＤ、発音素子等の組み合わせにより構成されている。また、表示器５４は、その一部の機能が光学ファインダー１０４内に設置されている。不揮発性メモリ５６は電気的に消去・記録可能な不揮発性のメモリであり、例えばEEPROM等が用いられる。
【００２０】
システム制御回路５０に対する各種の動作指示を入力するための操作系として、本実施形態の撮像装置１００は、モードダイアル６０、シャッタースイッチ６２及び６４、画像表示ＯＮ／ＯＦＦスイッチ６６、操作部６８、電源ＯＮ／ＯＦＦスイッチ７０、及び記録スロット選択スイッチ７２を備える。この操作系を構成する指示入力機構としては、スイッチやダイアル等の機械的接点を利用した構成、タッチパネルや視線検知によるポインティングのための構成、音声入力のための音声認識装置等を単独で或いは適宜組み合わせて用いたものがあげられる。
【００２１】
ここで、上記操作系の各部の具体的な説明を行う。モードダイアルスイッチ６０は、自動撮影モード、プログラム撮影モード、シャッター速度優先モード、絞り優先モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、等の各機能撮影モードを切り替え設定するためのスイッチである。
【００２２】
シャッタースイッチ６２（ＳＷ１）は、不図示のシャッターボタンの操作途中(シャッターボタンの半押し状態）でＯＮとなり、この信号によりＡＦ（オートフォーカス）処理、ＡＥ（自動露出）処理、ＡＷＢ（オートホワイトバランス）処理、ＥＦ（フラッシュプリ発光）処理等の動作開始を指示する。シャッタースイッチ６４（ＳＷ２）は、不図示のシャッターボタンの操作完了（全押し状態）でＯＮとなり、撮影の開始を指示する。すなわち、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記憶メディア２００或いは２１０に画像データを書き込む記録処理という一連の処理の動作開始を指示する。
【００２３】
画像表示ＯＮ／ＯＦＦスイッチ６６がＯＮになると再生動作の開始が指示される。この指示により、撮影した画像をメモリ３０や記憶メディア２００或いは２１０から読み出し、これを画像表示部２８によって表示させるという再生動作が開始される。操作部６８はその他の各種ボタンやタッチパネル等から構成される。電源スイッチ７０は、撮像装置１００の電源オン、電源オフの各モードを切り替え設定することができる。また、撮像装置１００に接続された記憶メディア２００、２１０、レンズユニット３００、外部ストロボ（不図示）等の各種付属装置の電源オン、電源オフの設定も合わせて切り替え設定することができる。
【００２４】
記録スロット選択ユニット７２により、ユーザは複数の記憶メディアスロットから所望のスロットを記録スロットとして選択し、この選択状態を撮像装置に設定することができる。記録スロットは、複数のスロットから一つ以上を選択することができる。記録スロット選択ユニット７２を用いてユーザにより設定された記録スロットの選択状態は、ユーザ選択スロットとしてシステム制御回路５０或いはメモリ５２に保存される。なお、撮像装置１００で記録スロットを選択する場合には、画像表示部２８を用いて記憶メディアスロットを一覧表示し、所望のスロットを選択させるようにしてもよい。或いは、通信ユニット１１０によりコンピュータ等によりあらかじめ設定された値を取り込み、その値を選択する構成としてもよい。
【００２５】
記憶メディア状態検知ユニット７４は、記憶メディアスロットに装着されている記憶メディア（例えば記憶メディア２００及び２１０）が記録可能状態であるか否かを検知する。記録スロット検索ユニット７６は、複数の記憶メディアスロットのうち記録スロットに設定されているスロットを検索する。画像検索ユニット７８は、記憶メディアにコピーすべき画像が存在するか否かを検索する。画像コピーユニット７９は、あるスロットに装着されている記憶メディアから他のスロットに装着されている記憶メディアに画像をコピーする。これら画像検索ユニット７８及び画像コピーユニット７９の動作の詳細については後述する。
【００２６】
電源制御ユニット８０は、電池検出回路、ＤＣ−ＤＣコンバータ、通電するブロックを切り替えるスイッチ回路等により構成されており、電池の装着の有無、電池の種類、電池残量の検出を行う。そして、それらの検出結果及びシステム制御回路５０からの指示に基づいてＤＣ−ＤＣコンバータを制御し、必要な電圧を必要な期間、記憶メディアを含む各部へ供給する。
【００２７】
電源部８６は、アルカリ電池やリチウム電池等の一次電池やＮｉＣｄ電池やＮｉＭＨ電池、Ｌｉ電池等の二次電池、ＡＣアダプター等を備え、コネクタ８２、８４を介して電源制御ユニット８０へ電源を供給する。
【００２８】
インターフェース９０、９４は、メモリカードやハードディスク等の記憶メディアと装置内のバスとを接続する。コネクタ９２、９６はメモリカードやハードディスク等の記憶メディアと接続を行うべく記憶メディアスロットに設けられたコネクタであり、記憶メディアが有するコネクタ（例えば記憶メディア２００や２１０のコネクタ２０６や２１６）と接続可能である。記憶メディア着脱検知ユニット９８は、コネクタ９２及び或いは９６に記憶メディアが装着されているか否かを検知する。
【００２９】
なお、図１では記憶メディアを取り付けるインターフェース及びコネクタを２系統持つものとして説明しているが、もちろん、記憶メディアを取り付けるインターフェース及びコネクタの数は、３つ以上としてもよい。図２以降に示す本実施形態では、４系統としている。また、インターフェース及びコネクタとしては、ＰＣＭＣＩＡカードやＣＦ（コンパクトフラッシュ（登録商標））カード等の規格に準拠したものを用いて構成しても構わない。更に、複数の記憶メディアスロットの各々が異なる規格に対応したものであってもよい（即ち複数種類の規格が混在していてもよい）。
【００３０】
レンズ３１０に入射した光線は、一眼レフ方式によって、絞り３１２、レンズマウント３０６および１０６、ミラー１３０及び１３２を介して光学ファインダー１０４へ導かれ、そこで光学像として結像表示される。これにより、画像表示部２８による電子ファインダー機能を使用すること無しに、光学ファインダー１０４のみを用いて撮影を行うことが可能である。また、光学ファインダー１０４内には、表示器５４の一部の機能、例えば、合焦表示、手振れ警告表示、フラッシュ充電表示、シャッタースピード表示、絞り値表示、露出補正表示などが設置されている。
【００３１】
レンズマウント１０６は撮像装置１００をレンズユニット３００とを主に機械的に結合する。ただし、レンズマウント１０６内には、撮像装置１００をレンズユニット３００と電気的に接続する各種機能も含まれている。
【００３２】
通信ユニット１１０は、ＲＳ２３２ＣやＵＳＢ、ＩＥＥＥ１３９４、Ｐ１２８４、ＳＣＳＩ、モデム、ＬＡＮ、無線通信等の各種通信機能の少なくともいずれかを有する。コネクタ１１２は通信ユニット１１０を介して撮像装置１００を他の機器と接続するために用いられる。なお、コネクタ１１２は、無線通信の場合はアンテナとなる。インターフェース１２０は、レンズマウント１０６を介して、撮像装置１００をレンズユニット３００と電気的に接続するためのインターフェースである。コネクタ１２２は撮像装置１００をレンズユニット３００と電気的に接続するコネクタである。なお、図１では、図示を簡単にするために、電気的接続のためのコネクタ１２２，３２２はレンズマウント１０６の外部に示してある。
【００３３】
１３０、１３２はミラーで、レンズ３１０に入射した光線を、一眼レフ方式によって光学ファインダー１０４に導くことが出来る。なお、ミラー１３２は、クイックリターンミラーの構成としても、ハーフミラーの構成としても、どちらでも構わない。
【００３４】
２００はメモリカードやハードディスク等の記憶メディアである。記憶メディア２００は、半導体メモリや磁気ディスク等から構成される記録部２０２、撮像装置１００と論理的な接続を行うインターフェース２０４、撮像装置１００と物理的な接続を行うコネクタ２０６を備えている。同様に、２１０はメモリカードやハードディスク等の記憶メディアであり、半導体メモリや磁気ディスク等から構成される記録部２１２、撮像装置１００とのインターフェース２１４、撮像装置１００と接続を行うコネクタ２１６を備えている。
【００３５】
レンズユニット３００は交換レンズタイプであり、撮影レンズ３１０、絞り３１２を備える。レンズユニット３００は、レンズマウント３０６を介して撮像装置１００と機械的に結合される。レンズマウント３０６内には、レンズユニット３００を撮像装置１００と電気的に接続するためのコネクタ３２２が設けられている。即ち、コネクタ３２２とインターフェース３２０により、レンズユニット３００は撮像装置１００と電気的に通信可能に接続される。コネクタ３２２は、撮像装置１００とレンズユニット３００との間で制御信号、状態信号、データ通信信号等を伝え合うと共に、各種電圧の電流を供給される或いは供給する機能も備えている。また、コネクタ３２２は電気通信のみならず、光通信、音声通信等を伝達する構成としても良い。
【００３６】
絞り制御ユニット３４０は測光ユニット４６からの測光情報に基づいて、シャッター１２を制御するシャッター制御ユニット４０と連携しながら、絞り３１２を制御する。また、測距制御ユニット３４２は撮影レンズ３１０のフォーカシングを制御し、ズーム制御ユニット３４４は撮影レンズ３１０のズーミングを制御する。レンズ制御ユニット３５０はレンズユニット３００全体を制御する。レンズ制御ユニット３５０は、動作用の定数、変数、プログラム等を記録するメモリやそのレンズユニット３００に固有の番号等の識別情報、管理情報、開放絞り値や最小絞り値、焦点距離等の機能情報、現在や過去の各設定値などを保持する不揮発メモリの機能も備えている。
【００３７】
図２は、上記図１で示した本実施形態の撮像装置１００の概観を示す図である。画像表示部２８は例えば液晶表示器で構成されており、図２では各記憶メディアスロットを記録スロットとして設定する操作時の表示例を示している。なお、本表示の詳細等については図４のフローチャート等を参照して後に詳述するが、モードダイアル６０を用いて記録スロット設定モードに移行すると、画像表示部２８には記憶メディアスロットの一覧２０１が表示され、操作部６８を使用してスロット単位で記録スロットに設定するか否かを指示できる。そして、操作部６８を用いて一覧２０１に表示されている記憶メディアスロットを選択状態（例えば２０１ａ）にすると、選択状態になった記憶メディアスロットの状態が通知欄２０２に表示される。ここで通知されるスロットの状態としては、「スロットに記憶メディアが装着されていない」「スロットに装着されている記憶メディアが初期化されていない」、「スロットに装着されている記憶メディアが容量一杯である」、「スロットに装着されている記憶メディアが壊れている」等がある。
【００３８】
なお、本実施形態では、撮影画像の縮小画像を表示する画像表示部２８を用いて複数のスロットの少なくとも一つを記録スロットに設定する構成を採用したが、撮像装置１００の上面或いは背面に配置された他の液晶表示器を用いて複数のスロットの少なくとも一つを記録スロットに設定する構成を採用することも可能である。
【００３９】
次に図３を参照して第１実施形態の動作を説明する。なお、以下の各フローチャート等により説明される動作は、システム制御部５０がメモリ２５に記憶されたプログラムを実行することで実現されるものとする。
【００４０】
図３の（ａ）は本実施形態の撮像装置１００が備えている記憶メディアスロット（以下、スロットという）の状態の一例を表す。なお、本実施形態では、スロット数を４つとしているが、スロットの数は２つ以上であればよく、以下に説明する動作はすべてのスロット数の場合に適用できる。
【００４１】
スロット３０１には、記録可能な記憶メディアが装着されており、かつ、記録スロットに選択されている。スロット３０２には、記憶メディアが装着されておらず、記録スロットにも選択されていない。スロット３０３には、記憶メディアが装着されているが、記録不可能な状態であり、記録スロットには選択されていない。スロット３０４には、スロット３０１と同様に、記録可能な記憶メディアが装着されており、記録スロットに選択されている。
【００４２】
以上の図３の（ａ）に示したような記録スロットの設定状態にて動作中の撮像装置１００において、記録スロット設定操作が行われると、画像表示部２８には図２に示すような表示がなされることになる。図３の（ａ）では、スロット３０２及びスロット３０３は、そそれぞれ「記憶メディアが未装着である」、「記憶メディアが記録不可能な状態である」といった理由により記憶メディアへの記録の実行が不可能な状態にある。操作部６８の操作により、一覧２０１にあげられたスロットの選択状態を切り替えていくと、選択状態（２０１ａ）になったスロットの各々に関して記録スロットへの設定ができないスロットについてはその旨の表示が通知欄２０２に行われる。図２では、スロット２（図３のスロット３０２に対応）が選択状態にあり、スロット２には記憶メディアが装着されていない旨通知されている。
【００４３】
以上の図３の（ａ）に示したような記録スロットの設定状態にて動作中の撮像装置１００において、図３の（ｂ）に示すようにスロットの状態が変化したとする。即ち、スロット３０４から記憶メディアが抜かれ、スロット３０４は記憶メディアが未装着の状態へと変化している（Ｓ３２１）。なお、スロット３０４が記憶メディア未装着状態に変化したことは、記憶メディア着脱検知ユニット９８により検知される。記憶メディアの装着状態の検知方法は周知であるため、説明を省略する。このとき、スロット３０４は記憶メディアが装着されていないので、撮影画像を記録することは不可能な状態となるが、記録スロットとしての設定状態は維持される（Ｓ３２２）。即ち、システム制御ユニット５０は、スロット３０４の記録スロットとしての設定状態をメモリ５２に維持する。
【００４４】
また、図３の（ｂ）の状態で撮影を行うと、スロット３０１において画像の書き込みが行われるが、記録スロットとして設定されているにもかかわらず画像データの書き込みを行えない。このように、記録スロットとして設定された全てのスロットにおいて書き込みを完了することができなかった場合（設定状態通りの書き込みが行えなかった場合）は、その画像データが記録未完了であることを識別可能に保持する。本実施形態では図７により後述するようなテーブルを用いて記録未完了の画像データを登録する。本実施形態では画像データＩＤにより記録未完了の画像データを特定するが、ファイル名等、データを一意に特定できるものであれば何でもよい。そして、スロット３０４に記録可能な記憶メディアが装着されて、記録可能状態となった際には、このテーブルを参照してスロット３０４の記憶メディアに格納すべき記録未完了の画像データ特定する。そして、特定した画像データをスロット３０１の記憶メディアより検索し、スロット３０４の記憶メディアへコピーする（Ｓ３２４）。
【００４５】
また、図３の（ｃ）は、図３の（ｂ）のような状態において、スロット３０２を記録スロットに設定した場合の処理を説明している。図３の（ｃ）では、スロット３０２には記憶メディアが装着されていない。記憶メディアが装着されていない状態のスロットでは撮影画像を記録することは不可能であるが、ユーザからの設定指示があればこれを記録スロットに設定しておく（Ｓ３２３）。記録スロットの設定には、記録スロット選択ユニット７２を用いる。スロット３０２を記録スロットに変更したことは、システム制御回路５０によりメモリ５２に記憶しておく。
【００４６】
図３の（ｃ）の状態で撮影を行うと、スロット３０１において画像の書き込みが行われるが、記録スロットとして設定されているスロット３０２、３０４に対しては画像データの書き込みを行えない。このように、設定状態と異なる書き込みが行われた場合は、上述したように記録未完了であることを識別可能とすべく、当該画像データを特定する情報を図７のテーブルに登録する。なお、このテーブルは、撮像装置１００の電源のＯＮ、ＯＦＦにかかわらず維持する必要があるので、不揮発性メモリ５６に設けられるものとする。この場合、スロット３０２と３０４に対応して画像データＩＤが登録されることになる。そして、後に、スロット３０２に記録可能な記憶メディアが装着されて、記録可能状態となった際には、これらの情報を参照して、スロット３０２の記憶メディアに記録すべき未記録の画像データを検索し（この例ではスロット３０１の記憶メディアより検索）、スロット３０２の記憶メディアへコピーする（Ｓ３２４）。この様子を図３（ｄ）に示す。
【００４７】
記録不可能な記憶メディアが装着されたスロットに関する動作は、上述の記憶メディアが装着されていないスロットに関する動作と同様である。
【００４８】
図３の（ｅ）は、図３の（ａ）の状態から、スロット３０４に装着された記憶メディアが記録不可能な状態へ変化（Ｓ３３１）した状態を示している。記憶メディアが記録不可能な状態に変化したことは、記憶メディア状態検知ユニット７４により検知される。なお、記憶メディアが記録可能な状態か否かを検知する方法は周知であるので説明を省略する。記録不可能な状態としては、記憶メディアが破壊された、記憶メディアの容量が一杯になった、初期化されていない記憶メディアが装着されたことなどが考えられる。このとき、スロット３０４に撮影画像を記録することは不可能となるが、システム制御回路５０はスロット３０４を記録スロットとして記憶しておく（Ｓ３３２）。
【００４９】
この状態で撮影が行われた際の動作は、及びその後に記録可能な記憶メディアがスロット３０４に装着された際の動作は、図３（ｂ）により上述したのと同様である。
【００５０】
更に、図３（ｆ）は、図３（ｅ）の状態において、記録不可能な記録媒体が装着されたスロット３０３を記録スロットとして設定した状態を示している。また、図３（ｇ）は図３（ｆ）のごとく設定された状態で撮影が行われた後、スロット３０３に記録可能な記憶メディアが装着された場合の動作を示している。これらの動作は、図３（ｃ）、（ｄ）により上述した動作に準ずる。
【００５１】
以上説明した動作について、図４乃至図６及び図８のフローチャートを参照して更に詳細に説明する。
【００５２】
図４は記憶メディアスロットを記録スロットに設定する際の、画像処理装置１００の動作を説明するフローチャートである。図４を用いて、所望のスロットを記録スロットに選択する際の処理と警告表示について説明する。なお、図４のフローチャートで示される処理は、モードダイアル６０によって撮像装置１００を記録スロット設定モードに設定することにより起動される。
【００５３】
記録スロット設定モードの処理が起動されると、まずステップＳ４０１においてユーザインターフェースが画像表示部２８により提示される。ここでは、図２に示したようなスロットの一覧表示２０１が表示されることになる。なお、一覧表示２０１には当該撮像装置が有するすべてのスロットの各々について記録スロットへの設定状態が表示される。また、この一覧表示を行う際に、記憶メディア着脱検知ユニット９８及び記憶メディア状態検知ユニット７４により各状態を検知し、その検知結果を表示するようにしてもよい。このようにすれば、どのスロットを記録スロットに設定できるかが一目瞭然となり、より操作性が向上する。なお、図２に示した操作部６８の操作スイッチの一部は、記録スロット設定モードに移行したことにより、記録スロット選択スイッチ７２として機能するものとする。
【００５４】
記録スロット選択スイッチ７２の一つを用いて、一覧表示２０１内のスロットを順次選択状態へ切り替えることができる（ステップＳ４０２）。一覧表示２０１においてスロットが選択状態（２０１ａ）になると、当該選択状態のスロットについて、記憶メディア着脱状態を記憶メディア着脱検知ユニット９８によりチェックする（ステップＳ４０３）。ステップＳ４０３において、当該スロットに記憶メディアが装着されていないと判断された場合には、ステップＳ４０８へ進み、画像表示部２８等を用いて、警告表示を行う。本実施形態では、図２に示したように、通知欄２０２にその旨の表示を行うものとする。そして、ステップＳ４０５へ進む。
【００５５】
一方、記憶メディアが装着されていると判断された場合は、ステップＳ４０３からステップＳ４０４へ進み、記憶メディア状態検知ユニット７４により、当該スロットに装着された記憶メディアの状態（記録の可否）を調べる。当該スロットに装着されている記憶メディアが記録可能な状態ではないと判断された場合は、ステップＳ４０８へ進み、その旨の警告を通知欄２０２に表示する。そして、ステップＳ４０５へ進む。以上のように、記憶メディア着脱検知ユニット９８及び記憶メディア状態検知ユニット７４により記録不可の状態にあるスロットが検出されると、その旨の警告が画像表示装置２８になされる。
【００５６】
ステップＳ４０４において当該スロットに装着された記憶メディアが記録可能であると判定された場合、及びステップＳ４０８で警告表示を行った後、処理はステップＳ４０５へ進む。ステップＳ４０５では、記録スロットへ設定する旨の指示が記録スロット選択スイッチ７２よりなされたか否かを判断する。記録スロットへ設定するべく指示されたならば、ステップＳ４０６へ進み、当該スロットを記録スロットに設定し、その状態をシステム制御回路５０またはメモリ５２に記憶する。また、選択スイッチ７２により次のスロットへ選択状態を移す指示が入力された場合は、ステップＳ４０７からステップＳ４０２へ戻り、新たに選択状態となったスロットについて上記処理を繰り返す。また、記録スロット設定モードを解除する指示が入力された場合は、ステップＳ４０７から本処理を終了する。
【００５７】
以上、本実施形態による記録スロットの設定処理を説明した。以上の処理によれば、スロットが記憶メディアへの記録実行の可否にかかわらず記録スロットへ設定することができる。次に、スロットの状態の変化に伴う記録スロット設定状態の制御について図５のフローチャートを参照して説明する。
【００５８】
図５は、本実施形態の撮像装置によるスロットの状態監視を説明するフローチャートである。例えば、スロットの状態が、図３の（ａ）の状態から（ｂ）または（ｅ）の状態に変化した場合に、その旨を通知するための処理手順を説明するフローチャートである。図５の処理は、撮像装置１００の動作中に所定周期で繰り返し実行される。或いは、記憶メディア着脱検知ユニット９８及び記憶メディア状態検知ユニット７４のいずれかにおいて状態の変化が検出された場合に実行するようにしてもよい。
【００５９】
まず、ステップＳ５０１において、記録スロット検索ユニット７６は、メモリ５２を参照することにより、記録スロットとして設定されているすべてのスロットを取得する。ステップＳ５０２において、ステップＳ５０１で取得したスロットの１つについて、記憶メディア着脱検知ユニット９８により記憶メディアの有無をチェックする。記憶メディアが装着されていないと判断された場合は、ステップＳ５０３からステップＳ５０６へ進み、その旨の通知を行う。
【００６０】
ステップＳ５０３において記憶メディアが装着されている判断された場合は、ステップＳ５０４へ進む。ステップＳ５０４では、記憶メディア状態検知ユニット７４により、装着されている記憶メディアが記録可能な状態にあるかどうかを判断する。装着されている記憶メディアが記録不可能な状態にあると判断された場合は、ステップＳ５０６にて警告表示を行う。
【００６１】
そして、ステップＳ５０５におて、未チェックのスロットが残っているかどうかを判断し、残っていれば次のスロットを対象としてステップＳ５０２〜Ｓ５０６の処理を繰り返す。ステップＳ５０１で取得したスロットのすべてについてチェックを終えたならば、本処理を終了する。
【００６２】
図６は、図３の（ｂ），（ｃ），（ｅ），（ｆ）の状態で撮影を行った場合の撮像装置１００の動作を説明するフローチャートである。撮影が実行されると、ステップＳ６０１において記録スロットに設定されているスロットを取得する。例えば図３（ｂ）では、スロット３０１と３０４が検出される。ステップＳ６０２では記録不可能な記録スロットが存在するかどうかを判定する。例えば、図３の（ａ）の状態であれば全記録スロットが記録可能な状態であるので、記録不可能な記録スロットは存在せず、処理はステップＳ６０３へ進む。ステップＳ６０３では、記録スロットに設定された全てのスロットおいて画像データの書き込みを実行する。
【００６３】
一方、図３の（ｂ）のような状態の場合、記録不可能な記録スロットが存在する。この場合、処理はステップＳ６０２からステップＳ６０４へ進む。ステップＳ６０４では、記録が可能なスロットにおいて画像データの書き込みを実行する。図３の（ｂ）の状態では、スロット３０１のみにおいて画像データの書き込みが実行される。そして、ステップＳ６０５へ進み、現在記録不可能な記録スロットが記録可能な状態になった場合にコピーを実行すべき画像であることを示すために、記録を実行できなかった記録スロットに対応して記録未完了の画像データとして登録する。例えば、図７に示すようなテーブルを用意しておき、記録スロットに設定されているにかかわらず記録を実行できなかったスロットに対応付けて、画像データを特定する画像データＩＤを登録する。なお、図７のテーブルにおいて、画像データＩＤとその画像を記録することのできたスロット番号を合わせて登録するようにしてもよい。このようにすれば、後のコピー動作において、登録されたスロット番号の記憶メディアを検索して画像データを得ればよいので、画像データの検索が容易かつ高速になる。また、ステップＳ６０５において、設定されたとおりには画像データの記録ができなかった旨をユーザに通知するよう、画像表示装置２８に表示を行ってもよい。
【００６４】
図８は、スロットに対して新たな記憶メディアが装着された際の処理を説明するフローチャートである。図８の処理は、記憶メディア検知ユニット９８がスロットに記憶メディアが装着されたことを検出すると起動される。
【００６５】
ステップＳ８０１において、新たに記憶メディアが装着されたスロットが記録スロットに設定されたスロットであり、記憶メディア状態検知ユニット７４が、この新たに装着された記憶メディアが記録可能であることを検出すると処理はステップＳ８０２へ進む。そして、ステップＳ８０２において、当該新たに装着された記憶メディアに対してコピーすべき画像が存在するかどうかを判断する。本実施形態では、図７に示すテーブルの当該スロットに対応する欄に、上記ステップＳ６０５の処理により記録未完了の画像として登録された画像データがある場合に、コピーすべき画像が存在するものと判定する。コピーすべき画像が存在した場合、処理はステップＳ８０３へ進み、画像検索ユニット７８によりコピーすべく設定されている画像を他の記録スロットの記憶メディアから読み出し、画像コピーユニット７９によりその画像を当該新たな記憶メディアへコピーする。例えば、図３の（ｄ）に示されているように、スロット３０１からスロット３０２へのコピーが実行される。
【００６６】
そして、ステップＳ８０４において、図７のテーブルから、上記コピーを完了した画像データの画像ＩＤを対応するスロットの欄から消去する。そして、ステップＳ８０５において、画像表示装置２８にコピーが行われた旨の通知を行う。
【００６７】
以上のように、画像データを書き込めなかった記録スロットが存在する場合に、当該画像データにコピーすべき画像データ（記録未完了の画像データ）が存在することを示す情報をスロットに対応付けて保持する。そして、記録スロットにおける記録が可能になったときに、コピーすべき画像データを示す情報に対応する画像データを、当該記録スロットの記憶メディアにコピーする。このように、コピーすべき画像データであることを示す情報をスロット単位で用意するので、最終的に、記録スロットに設定されている全てのスロットに画像データを書き込むことができるようになる。
【００６８】
以上のように、第１実施形態によれば、ユーザが誤った操作で、記録スロットに記憶メディア未装着のまま電源を立ち上げてしまっても、当該スロットに対する記録スロットとしての設定を維持する。従って、ユーザは再び当該スロットを記録スロットに設定しなおす操作が不要になり、操作の煩雑さを回避できる。
【００６９】
また、第１実施形態によれば、記憶メディアの装着の有無に関わらず、スロットをユーザの意図通りに、容易に記録スロットに設定することが可能となる。また、ユーザの設定した記録スロットに記憶メディアが装着されていなくても、或いは、記録スロットの記憶メディアが記録不可能な状態にあっても、撮影を続行することが可能である。そして、撮影後に、記録不可能であった記録スロットが記録可能な状態になると、当該記録スロットで記録しておくべき画像が自動的にコピーされるので、ユーザは設定通りの記録結果を得ることができる。即ち、ユーザは、記録スロットに設定しようとしているスロットに記憶メディアが装着されていないことや、記憶メディアが記録不可能状態であることを承知の上で、当該スロットを記録スロットに設定することが可能となり、操作性が向上する。
【００７０】
＜第２実施形態＞
第１実施形態では、各スロットに対して記録スロットに設定するか否かの方法をとり、複数スロットでの記録スロット設定方法を示したが、第２実施形態では、バックアップをＯＮに設定するかＯＦＦに設定するかによって、複数スロットを記録スロットに設定する方法を説明する。なお、第２実施形態では、複数スロットの１例として２スロットを設けた場合に関して説明するが、２スロットに限らず、２スロット以上のスロットを有する撮像装置にも適用されることは言うまでもない。
【００７１】
図９は、上記図１で示した本発明の実施形態の撮像装置１００の画像表示部２８に表示される記録スロット選択メニューについて示した図である。
【００７２】
図１で示した操作部６８を使用して、バックアップモードＯＮまたはＯＦＦを設定する。バックアップモードをＯＮに設定した場合には、２つのスロットの両方を記録スロットとする。また、バックアップモードをＯＦＦに設定した場合には、第１実施形態の手法により、ユーザは記録スロットを第１スロットにするか第２スロットにするか、或いはそれらの両方にするかを選択できる。
【００７３】
図１０の（ａ）は、本実施形態における各スロットの状態の一例を表す。なお、本実施形態では、スロットを２つとしているが、上述のようにスロットの数は２つ以上であればよく、スロットの数によらず同様の動作をする。３つ以上のスロットへの拡張については後述する。図８の（ａ）に示される状態では、スロット８０１、８０２に記録可能な記憶メディアが装着されており、バックアップモードがＯＮとなっている。なお、一般にバックアップモードではスロット毎に撮影データを書き込むためのメインスロットとバックアップデータを書き込むためのバックアップスロットを設定可能であり、ここでは、スロット８０１をメインスロット、スロット８０２をバックアップスロットに設定しているものとする。
【００７４】
図１０の（ａ）の状態から、スロット８０２において記憶メディアが抜かれる（Ｓ８１１）と、図１０の（ｂ）に示すようにスロット８０２は記憶メディア未装着状態に変化する。このとき、スロット８０２は記憶メディアが装着されていないので、撮影画像を記録することは不可能である。しかし、バックアップモードのＯＮ状態は維持する（Ｓ８１２）。そして、この状態で画像が撮影された場合には、画像データはスロット８０１の記憶メディアのみに記録される。ただし、バックアップが未完了であることを示す情報が当該画像データに対応付けられて保持される。例えば、バックアップが未完了の画像データのＩＤを登録するテーブルを設けることで実現できる。なお、このテーブルは、撮像装置１００の電源のＯＮ、ＯＦＦにかかわらず維持する必要があるので、不揮発性メモリ５６に設けられるものとする。その後、スロット８０２に記録可能な記憶メディアが装着されると、図１０（ｄ）に示すように、上記テーブルを参照して、バックアップのできなかった画像データを特定し、スロット８０１の記憶メディアから検索し、これをスロット８０２の記憶メディアにコピー（Ｓ８１４）することでバックアップを完了させる。
【００７５】
図１０の（ｃ）は、記憶メディア１つのスロットにしか装着されておらず、バックアップで動作が不可能な状態において、バックアップモードを設定した場合を説明している。この場合、バックアップ動作の実行可否に関わらず、バックアップモードが設定される（Ｓ８１３）。その後、例えばスロット８０２に記録可能な記憶メディアが装着された場合は、図１０の（ｄ）の状態へ移行することになる。
【００７６】
スロットに装着されている記憶メディアが記録不可能な状態になった場合の動作も、記憶メディアが抜かれた場合と同様であり、バックアップモードは維持される（図１０（ｅ））。この状態で画像撮影が行われれば、記録可能な記録スロットにおいて画像データの記録が行われ、バックアップが未完了である旨が当該画像データに対応して保持される。そして、記録不可能な記憶メディアに代えて記録可能な記憶メディアが装着されると、その新たに装着された記憶メディアへバックアップ未完了の画像データがコピーされる（図１０（ｇ））。
【００７７】
なお、図１０（ｄ）、（ｇ）においては、バックアップ未完了の画像データのみがコピーされ、バックアップモードＯＦＦで撮影された画像データについてはコピーは実行されない。
【００７８】
図１１はバックアップモードへの設定時の処理を説明するフローチャートである。モードダイアル６０によりバックアップモード設定モードが選択されると、ステップＳ１１０１において図９に示したようなユーザインターフェースが提示される。ステップＳ１１０２では各スロットの情報が収集され、この情報を基にステップＳ１１０３においてバックアップ動作を実行可能か否かが判定される。例えば、図１０の（ａ）の状態であれば、メインスロット（８０１）とバックアップスロット（８０２）がともに記録可能な状態（記録可能な記憶メディアが装着された状態）であるのでバックアップ動作を実行可能である。一方、図１０の（ｃ）のような状態では、バックアップスロットが記録可能な状態にないのでバックアップ動作は実行不可能であると判断される。なお、３スロット以上に対応する場合は、各スロットをメイン記録用のスロットとバックアップ記録用のスロットに割り当てておき、メイン記録用のスロットに記録可能なスロットが１つも存在しない、或いはバックアップ記録用のスロットに記録可能なスロットが１つも存在しない場合にバックアップ動作不可能と判断する。
【００７９】
バックアップ動作が不可能と判断された場合はステップＳ１１０８へ進み、例えば図９の２０２のように画像表示装置２８にその旨の警告を表示する。
【００８０】
操作部６８への操作によりバックアップモードが指示されると、バックアップ動作の実行可否にかかわらずステップＳ１１０６へ進み、バックアップモードが設定される。そしてステップＳ１１０７において、バックアップ動作に必要なスロットを（各スロットの記録の可否に関わらず）記録スロットへ設定し、本処理を終了する。なお、設定操作を終了する旨の指示があった場合は、そのまま本処理を終了することになる（ステップＳ１１０５）。
【００８１】
図１２はバックアップモード設定中の撮影動作を説明するフローチャートである。撮影が実行されると、ステップＳ１２０１において、得られた画像データを上記ステップＳ１１０７で記録スロットに設定されたスロットにより記憶メディアへ記録する。そして、ステップＳ１２０２において、バックアップ動作が可能な状態にあるかどうかを、各記録スロットにおける記録の実行可否の状態に基づいて判定する（判定の方法はステップＳ１１０３と同様である）。例えば図９（ａ）の状態であれば、メイン記録用及びバックアップ記録用の各スロットに画像データを格納でき、画像データのバックアップをとることができる。よって、図９の（ａ）のような状態であればステップＳ１１０３をスキップして本処理を終了する。一方、例えば、図９の（ｃ）の状態では、スロット８０２が記録不可能な状態であり、バックアップを取ることができない。よって、このような場合には、処理はステップＳ１２０２からステップＳ１２０３へ進み、バックアップが未完了の画像データのＩＤを登録するテーブルに、当該画像データのＩＤを登録する。
【００８２】
その後、新たに記憶メディアが挿入された場合は、図１３のフローチャートに示した処理によりバックアップを完了させる。即ち、ステップＳ１３０１でバックアップ記録用に設定されたスロットへ記録可能な記憶メディアが装着されたことを検出したならば、ステップＳ１３０２へ進みバックアップが未完了の画像が存在するかどうかを判定する。そして、バックアップが未完了の画像が存在したならば、それらの画像を新たに装着された記憶メディアへ記録し、バックアップ未完了の旨の情報を消去する。
【００８３】
なお、スロット数が３以上の場合は、上述したように各スロットをメインスロットとバックアップスロットに割り当て、メインスロット及びバックアップスロットの各々に記録可能な状態のスロットが少なくとも１つずつ存在する場合にバックアップ動作実行可能と判断する。なお、その場合、撮像装置１００が備える全てのスロットをメインスロットかバックアップスロットのいずれかに割り当てなくてもよい。例えば、４つのスロットのうち、第１スロットをメインスロットに、第２、第３スロットをバックアップスロットに設定し、第４スロットはバックアップモードでは使用しないように設定してもよい。
【００８４】
また、複数のスロットをバックアップスロットに設定した場合、第１実施形態で説明したテーブル（図７）と類似の構成を採用し、各スロット毎にバックアップ未完了の画像データＩＤを登録するようにすれば、バックアップスロットに設定された全てのスロットに確実にバックアップを取ることができるようになる。ただし、この場合、ステップＳ１２０２，Ｓ１２０３において、バックアップの完了／未完了をバックアップスロットに割り当てらているスロットの各々について判定することになる。
【００８５】
なお、メインスロットに記録可能なスロットが存在しなくなった場合は、バックアップモードを解除するようにしてもよい。
【００８６】
以上説明したように、第２実施形態によれば、設定時にバックアップ動作が実行可能な状態にない場合や、撮影中にバックアップ動作が実行できないような状態になった場合でも、バックアップモードでの撮影を継続させ、バックアップ動作を実行可能となったときにバックアップを完了させることができる。よって、ユーザはバックアップ機能を容易に機能させることができる。
【００８７】
本発明の実施の形態に係る画像撮影／再生装置において、プログラム及び関連データを、フロッピー（登録商標）ディスクやＣＤ−ＲＯＭ等の記憶媒体を装置に装備された記憶媒体ドライブ挿入口に挿入することで供給し、プログラム及び関連データを記憶媒体から一旦ハードディスクにインストールしハードディスクからＲＡＭにロードするか、或いはハードディスクにインストールせずに直接ＲＡＭにロードすることで、プログラム及び関連データを実行することでプログラム実行が可能となる。或いは、画像撮影／再生装置に予めプログラム及び関連データを格納しておくことで、プログラム実行が可能となる。
【図面の簡単な説明】
【００８８】
【図１】実施形態による撮像装置の構成を示すブロック図である。
【図２】第１実施形態における記録スロット設定時のインターフェースについて説明する図である。
【図３】第１実施形態における記録スロットの設定動作、記録スロットへの画像コピー動作を説明する図である。
【図４】第１実施形態における、記録スロットの設定処理を説明するフローチャートである。
【図５】第１実施形態による、記録スロットの監視処理を説明するフローチャートである。
【図６】第１実施形態における、撮影動作時の記録スロットへの画像記録動作を説明するフローチャートである。
【図７】第１実施形態における、記録未完了画像を登録するテーブルのデータ構成例を示す図である。
【図８】第１実施形態における、記録スロットへのコピー動作を説明するフローチャートである。
【図９】第２実施形態におけるバックアップモード設定時のインターフェースについて説明する図である。
【図１０】第２実施形態におけるバックアップモード動作を説明する図である。
【図１１】第２実施形態におけるバックアップモード設定処理を説明するフローチャートである。
【図１２】第２実施形態における撮影動作時の記録スロットへの画像記録動作を説明するフローチャートである。
【図１３】第２実施形態による、バックアップ未完了画像に対する画像コピー動作を説明するフローチャートである。
【図１】
2005223761.tif 000003
【図２】
2005223761.tif 000004
【図３】
2005223761.tif 000005
【図４】
2005223761.tif 000006
【図５】
2005223761.tif 000007
【図６】
2005223761.tif 000008
【図７】
2005223761.tif 000009
【図８】
2005223761.tif 000010
【図９】
2005223761.tif 000011
【図１０】
2005223761.tif 000012
【図１１】
2005223761.tif 000013
【図１２】
2005223761.tif 000014
【図１３】
2005223761.tif 000015